(57)【要約】【課題】光源の異常を検出することができると共に、光源に異常が発生した場合においても継続して情報を伝送でき、情報伝送の信頼性を確保することができる光伝送システム、光伝送方法及び光受信装置を提供する。【解決手段】送信部１０では、第１光源１４及び第２光源１６から伝送すべき情報を表す光信号を出力し、該２つの光源から出力された光信号を光合波器１８で合波して出力する。受信部３０では、この合波され出力された光信号を受光素子３２で受光して該受光した光量に応じた信号を出力し、レベル判定部３６で該出力された信号をスライスレベルＳ１及びスライスレベルＳ１より大きなスライスレベルＳ２と比較して受光素子３２で受光された光信号が表す情報を検出すると共に、制御回路４０で少なくとも１個の光源の異常を検出する。【選択図】図１
2007221657.tif 000002
【特許請求の範囲】
【請求項１】
伝送すべき情報を表す光信号を出力する複数個の光源と、
前記複数個の光源から出力された光信号を合波して出力する合波手段と、
前記合波手段により合波され出力された光信号を受光して該受光した光量に応じた信号を出力する受光手段と、
前記受光手段から出力された信号の強度を検知して、前記受光された光信号が表す情報及び少なくとも１個の光源の異常を検出する検出手段と、
を含む光伝送システム。
【請求項２】
前記検出手段は、前記受光手段から出力された信号の強度を、大きさの異なる複数個の閾値と前記受光手段から出力された信号とを比較することによって検知する請求項１に記載の光伝送システム。
【請求項３】
前記検出手段で少なくとも１個の光源の異常が検出されたときに、該異常を報知する報知手段を更に含む請求項１または請求項２に記載の光伝送システム。
【請求項４】
前記検出手段は、前記複数個の閾値の大きさが最も小さい閾値を前記受光された光信号が表す情報を検出するための閾値として用い、前記複数個の閾値の全てを少なくとも１個の光源の異常を検出するための閾値として用いる請求項２または請求項３に記載の光伝送システム。
【請求項５】
前記検出手段で少なくとも１個の光源の異常が検出されたときに、前記光源の各々からテスト用の光信号を出力させ、該出力された光信号の各々が前記受光手段で受光されて出力された信号の各々と前記複数個の閾値の大きさが最も小さい閾値とを比較して、前記複数個の光源の中の異常な光源を特定する特定手段と、
を更に含む請求項２乃至請求項４のいずれか１項に記載の光伝送システム。
【請求項６】
複数個の光源から伝送すべき情報を表す光信号を出力する出力ステップと、
前記出力された光信号を合波して出力する合波ステップと、
前記合波ステップにより合波され出力された光信号を受光して該受光した光量に応じた信号を出力する受光ステップと、
前記受光ステップにより出力された信号の強度を検知して、前記受光された光信号が表す情報及び少なくとも１個の光源の異常を検出する検出ステップと、
を含む光伝送方法。
【請求項７】
伝送すべき情報を表す光信号を出力する複数個の光源と、前記複数個の光源から出力された光信号を合波して出力する合波手段と、を有する信号出力装置から出力された光信号を受信する光受信装置であって、
前記信号出力装置から出力された光信号を受光して該受光した光量に応じた信号を出力する受光手段と、
前記受光手段から出力された信号の強度を検知して、前記受光された光信号が表す情報及び少なくとも１個の光源の異常を検出する検出手段と、
を含む光受信装置。
【発明の詳細な説明】
【技術分野】
【０００１】
本発明は、光源から光信号を出力して伝送することにより任意の情報を伝送することができる光伝送システム、光伝送方法及び光受信装置に関する。
【背景技術】
【０００２】
光を情報伝達媒体とする光伝送システムでは、光源が故障することによって信頼性が低下する、という問題点がある。
【０００３】
そこで、複数の光源でぞれぞれ異なる情報を伝送する装置において、複数の光源の異常の有無を監視し、１つの光源に異常が発生した場合には他の正常な光源の情報に、該異常が発生した光源で伝送すべき情報を混合して伝送する技術が提案されている（例えば、特許文献１参照。）。
【０００４】
また、複数の光源チャンネルを設け、光源に障害が発生したとき、他の光源に切替えて運用することができる光源発生装置も知られている（例えば、特許文献２参照。）。
【０００５】
また、バースト信号フォーマットにおいて、レーザパワー制御を行うための第１しきい値とレーザの寿命検出を行うための第２しきい値とを用いて、送信パケットのレベルを検出し、レーザのパワー制御と寿命検出を行うパワー制御装置が提案されている（例えば、特許文献３参照。）。
【特許文献１】特開平１１−１１２４２６号公報
【特許文献２】特開２００４−１１２８１１号公報
【特許文献３】特開２０００−２００９４２号公報
【発明の開示】
【発明が解決しようとする課題】
【０００６】
しかしながら、上記特許文献１に記載の装置では、１つの光源に異常が検出されたときには、該異常が発生した光源で伝送すべき情報を他の正常な光源の情報に混合して伝送するため、異常発生時のデータ処理及び伝送の切替え処理が必要になると共に、これにより異常が検出されてからデータ処理して伝送の切り替えを行う間はデータ伝送が不可能になる、という問題がある。
【０００７】
また、上記特許文献２に記載の装置も、光源に障害が発生したときに他の光源に切替えるため、異常が検出されてから光源を切り替えるときに瞬間的にデータ伝送が不可能になる、という問題がある。また、上記特許文献３に記載の装置では、１つの光源のパワー制御及び寿命検出を行うことができるだけであり、故障時に継続してデータ伝送できるような構成にはなっていない。
【０００８】
本発明は上述した問題点を解決するためになされたものであり、光源の異常を検出することができると共に、光源に異常が発生した場合においても継続して情報を伝送でき情報伝送の信頼性を確保することができる光伝送システム、光伝送方法及び光受信装置を提供することを目的とする。
【課題を解決するための手段】
【０００９】
上記目的を達成するために、本発明の光伝送システムは、伝送すべき情報を表す光信号を出力する複数個の光源と、前記複数個の光源から出力された光信号を合波して出力する合波手段と、前記合波手段により合波され出力された光信号を受光して該受光した光量に応じた信号を出力する受光手段と、前記受光手段から出力された信号の強度を検知して、前記受光された光信号が表す情報及び少なくとも１個の光源の異常を検出する検出手段と、を含んで構成されている。
【００１０】
このように、複数の光源から出力した光信号を合波手段で合波して出力することによって、複数の光源の中のいずれか（あるいはいくつか）に異常が発生した場合でも、残りの光源からは光信号が出力され続けるため、合波した光信号の出力レベルは低下するが、受光手段では継続して光信号を受光できる。従って、該光信号により伝送された情報を継続して検出することができる。また、本発明では、受光手段から出力された信号の強度を検知することにより、合波した光信号の出力レベルの低下状態が把握でき、情報を検出するだけでなく、少なくとも１個の光源の異常を検出することができる。
【００１１】
従って、本発明によれば、光源の異常を検出することができると共に、光源に異常が発生した場合においても継続して情報を伝送でき、情報伝送の信頼性を確保することができる。
【００１２】
なお、前記検出手段は、前記受光手段から出力された信号の強度を、大きさの異なる複数個の閾値と前記受光手段から出力された信号とを比較することによって検知することができる。
【００１３】
これにより、容易に受光手段から出力された信号の強度を検知することができる。
【００１４】
また、光伝送システムは、前記検出手段で少なくとも１個の光源の異常が検出されたときに、該異常を報知する報知手段を更に含んで構成することができる。
【００１５】
これにより、発生した光源の異常に迅速に対応できるため、致命的な状態に至らない。
【００１６】
また、前記検出手段は、前記複数個の閾値の大きさが最も小さい閾値を前記受光された光信号が表す情報を検出するための閾値として用い、前記複数個の閾値の全てを少なくとも１個の光源の異常を検出するための閾値として用いることができる。
【００１７】
最も小さい閾値を受光された光信号が表す情報を検出するための閾値として用いることにより、多くの光源に異常が発生した場合でも、継続して伝送された情報を継続して検出できる。また、大きさが異なる複数個の閾値の全てを少なくとも１個の光源の異常を検出するための閾値として用いることにより、光源の異常状態を容易に検出することができる。
【００１８】
なお、前記検出手段で少なくとも１個の光源の異常が検出されたときに、前記光源の各々からテスト用の光信号を出力させ、該出力された光信号の各々が前記受光手段で受光されて出力された信号の各々と前記複数個の閾値の大きさが最も小さい閾値とを比較して、前記複数個の光源の中の異常な光源を特定する特定手段と、を更に含んで構成することができる。
【００１９】
これにより、異常が発生した光源を特定することができるため、光源の交換等が容易となる。
【００２０】
また、本発明の光伝送方法は、複数個の光源から伝送すべき情報を表す光信号を出力する出力ステップと、前記出力された光信号を合波して出力する合波ステップと、前記合波ステップにより合波され出力された光信号を受光して該受光した光量に応じた信号を出力する受光ステップと、前記受光ステップにより出力された信号の強度を検知して、前記受光された光信号が表す情報及び少なくとも１個の光源の異常を検出する検出ステップと、を含んで構成されている。
【００２１】
本発明の光伝送方法も、本発明の光伝送システムと同様に作用するため、光源の異常を検出することができると共に、光源に異常が発生した場合においても継続して情報を伝送でき、情報伝送の信頼性を確保することができる。
【００２２】
また、本発明の光受信装置は、伝送すべき情報を表す光信号を出力する複数個の光源と、前記複数個の光源から出力された光信号を合波して出力する合波手段と、を有する信号出力装置から出力された光信号を受信する光受信装置であって、前記信号出力装置から出力された光信号を受光して該受光した光量に応じた信号を出力する受光手段と、前記受光手段から出力された信号の強度を検知して、前記受光された光信号が表す情報及び少なくとも１個の光源の異常を検出する検出手段と、を含んで構成されている。
【００２３】
本発明の光受信装置でも、信号出力装置の複数の光源の中のいずれか（あるいはいくつか）に異常が発生した場合でも、残りの光源からは光信号が出力され続けるため、合波した光信号の出力レベルは低下するが、受光手段では継続して光信号を受光できる。従って、該光信号により伝送された情報を継続して検出することができる。また、受光手段から出力された信号の強度を検知することにより、合波した光信号の出力レベルの低下状態が把握でき、情報を検出するだけでなく、少なくとも１個の光源の異常を検出することができる。
【発明の効果】
【００２４】
以上説明したように、本発明によれば、光源の異常を検出することができると共に、光源に異常が発生した場合においても継続して情報を伝送でき、情報伝送の信頼性を確保することができる、という優れた効果を奏する。
【発明を実施するための最良の形態】
【００２５】
以下、図面を参照して、本発明の実施の形態について詳細に説明する。
【００２６】
図１は、本実施の形態における光伝送システム１の概略構成を示すブロック図である。同図に示すように、この光伝送システム１は、光信号を送信する送信部１０と、送信部１０から送信された光信号を伝送する光伝送路２０と、光伝送路２０を介して伝送された光信号を受信する受信部３０とを備えている。
【００２７】
送信部１０は、駆動回路１２、第１光源１４、第２光源１６、及び光合波器１８を備えている。
【００２８】
駆動回路１２は、入力されたデータ信号に従って、第１光源１４及び第２光源１６の各々から同一の光信号が出力されるように駆動する。具体的には、該２つの光源の各々から出力される光信号が、データ信号が「０」の場合にはLowレベル、データ信号が「１」の場合にはHighレベルとなるように各光源を駆動する。
【００２９】
第１光源１４及び第２光源１６は、駆動回路１２の駆動により光信号を略同一のパワーで出力する光源である。なお、これら光源は、半導体レーザであってもよいし、ＬＥＤであってもよい。
【００３０】
光合波器１８は、第１光源１４及び第２光源１６から出力された光信号を合波して、光伝送路２０に出力する。以下、便宜上、２つの光信号を合波して生成された光信号を合波信号と呼称し、合波前の各光信号と区別して説明する。なお、合波信号の出力レベルは、元の光信号の出力レベルの略２倍となる。
【００３１】
受信部３０は、受光素子３２、増幅器３４、及びレベル判定部３６を備えている。
【００３２】
受光素子３２は、光伝送路２０を介して伝送された光信号または合波信号を受光し、受光した光量を電気信号に変換して出力する。
【００３３】
増幅器３４は、受光素子３２から出力された電気信号を増幅し、レベル判定部３６に出力する。
【００３４】
レベル判定部３６は、増幅器３４から入力した電気信号と、予め定められた複数個の閾値（スライスレベル）とを比較した比較結果を出力する。
【００３５】
図２（Ａ）は、１個の光源から出力された光信号が合波されないで伝送されたときのレベル判定部３６に対する電気信号の入力状態を示し、図２（Ｂ）は、第１光源１４及び第２光源１６の２つの光源から出力された光信号が合波された合波信号が伝送されたときのレベル判定部３６に対する電気信号の入力状態を示している。なお、図示されるＶｐ、２ＶｐはＶ0（ここでは０ｖ）を基準としたときの電気信号の大きさを示す。
【００３６】
図２（Ｂ）に示されるように、受光素子３２で合波信号を受光したときにレベル判定部３６に入力されるデータ信号「１」に対応する電気信号の大きさ（２Ｖｐ）は、図２（Ａ）に示される元の光信号を受光素子３２で受光したときにレベル判定部３６に入力される電気信号の大きさ（Ｖｐ）の略２倍となっている。
【００３７】
レベル判定部３６に入力された電気信号は、大きさの異なる２つのスライスレベルＳ１、Ｓ２と比較される。
【００３８】
スライスレベルＳ１の大きさは、Ｖｐ未満であって、光信号として伝送されたデータ信号の０，１を検出する（High/lowを検出する）ために用いられると共に、第１光源１４及び第２光源１６の少なくとも一方の異常を検出するために用いられる。
【００３９】
スライスレベルＳ２の大きさは、Ｖｐより大きく２Ｖｐより小さい。スライスレベルＳ２は、第１光源１４及び第２光源１６の少なくとも一方の故障を検出するために用いられる。
【００４０】
なお、各スライスレベルＳ１、Ｓ２は、光信号や電気信号の出力レベルのばらつきを考慮した値が予め定められている。
【００４１】
図３は、レベル判定部３６の概略構成を示したブロック図である。レベル判定部３６は、２つの比較回路３６ａ、３６ｂを備えている。比較回路３６ａには増幅器３４で増幅された電気信号と予め定められたスライスレベルＳ１の信号が入力される。比較回路３６ａは、増幅器３４から入力した電気信号と該スライスレベルＳ１とを比較し、増幅器３４から入力した電気信号のレベルがスライスレベルＳ１以上なら、データ信号としてデジタル値１を出力し、スライスレベルＳ１より小さければ、データ信号としてデジタル値０を出力する。このデータ信号（デジタル値）は、伝送されたデータ信号を使用する他の回路に出力されると共に、後述する制御回路４０に出力される。
【００４２】
また、比較回路３６ｂには、増幅器３４で増幅された電気信号と予め定められたスライスレベルＳ２の信号が入力される。比較回路３６ｂは、増幅器３４から入力した電気信号と該スライスレベルＳ２とを比較し、増幅器３４から入力した電気信号のレベルがスライスレベルＳ２以上ならデジタル値１を出力し、スライスレベルＳ２より小さければデジタル値０を出力する。このデジタル値は、後述する制御回路４０に出力される。
【００４３】
ここで、第１光源１４及び第２光源１６のいずれも正常に動作し正常な合波信号が出力された場合には、レベル判定部３６に入力されるデータ信号「１」に対応する電気信号はスライスレベルＳ１、Ｓ２を越えたレベルとなる。従って、比較回路３６ａ、３６ｂの双方からデジタル値１が出力される。
【００４４】
また、第１光源１４及び第２光源１６のいずれか一方に異常が発生し、一方の出力レベルが非常に小さくなった場合（或いは全く光信号が出力されなくなった場合）には、レベル判定部３６に入力されるデータ信号「１」に対応する電気信号はスライスレベルＳ１からスライスレベルＳ２まで間のレベルとなる。従って、比較回路３６ａからはデジタル値１が出力されると共に、比較回路３６ｂからはデジタル値０が出力される。
【００４５】
また、第１光源１４及び第２光源１６の双方に異常が発生し、双方の出力レベルが非常に小さくなった場合（或いは全く光信号が出力されなくなった場合）には、レベル判定部３６に入力されるデータ信号「１」に対応する電気信号はスライスレベルＳ１未満のレベルとなる。従って、比較回路３６ａ、３６ｂの双方からデジタル値０が出力される。
【００４６】
光伝送システム１は、更に、送信部１０の駆動回路１２及び受信部３０のレベル判定部３６と接続された制御回路４０と、制御回路４０に接続され制御回路４０からの指令に応じてメッセージなどを表示する表示部５０とを備えている。
【００４７】
制御回路４０は、送信部１０の駆動回路１２を制御して第１光源１４及び第２光源１６を駆動させる。また、受信部３０のレベル判定部３６から、上記比較回路３６ａ、３６ｂの比較結果が入力されると、該比較結果に基づいて第１光源１４及び第２光源１６の異常検出等を行う。制御回路４０はＣＰＵ，ＲＡＭ，ＲＯＭを含むマイクロコンピュータで構成することができ、ＲＯＭに記憶されたプログラムを実行することにより、駆動回路１２に対する制御や光源の異常検出を行うことができる。
【００４８】
図４は、制御回路４０で行われる異常検出処理の流れを示すフローチャートである。この異常検出処理は、光信号による通常のデータ伝送中に所定時間間隔で実行される。
【００４９】
ステップ１００では、受信光を観測したか否か、すなわち、データ信号「１」に相当する電気信号がレベル判定部３６に入力され、レベル判定部３６の比較回路３６ａ及び比較回路３６ｂの双方から比較結果としてデジタル値（０または１）が制御回路４０に入力されたかを判断する。ここで比較回路３６ａ、３６ｂからデジタル値が入力されたと判断した場合には、ステップ１０２に移行する。
【００５０】
ステップ１０２では、比較回路３６ｂに入力された電気信号のレベルがスライスレベルＳ２に達しているか否かを判断する。ここでは、比較回路３６ｂから制御回路４０に入力されたデジタル値が１であった場合には、比較回路３６ｂに入力された電気信号のレベルがスライスレベルＳ２に達していると判断し、比較回路３６ｂから制御回路４０に入力されたデジタル値が０であった場合には、比較回路３６ｂに入力された電気信号のレベルがスライスレベルＳ２に達していないと判断する。
【００５１】
ステップ１０２で、比較回路３６ｂに入力された電気信号のレベルがスライスレベルＳ２に達していると判断した場合には、第１光源１４及び第２光源１６の双方が正常であると判断して、ステップ１０４に移行し、正常駆動を続ける。
【００５２】
また、ステップ１０２で、比較回路３６ｂに入力された電気信号のレベルがスライスレベルＳ２に達していないと判断した場合には、第１光源１４及び第２光源１６の少なくとも一方が異常であると判断して、ステップ１０６に移行し、光源が寿命であり交換するように促すメッセージを表示部５０に表示させる。
【００５３】
続いて、ステップ１０８で、比較回路３６ａに入力された電気信号のレベルがスライスレベルＳ１に達しているか否かを判断する。ここでは、比較回路３６ａから制御回路４０に入力されたデジタル値が１であった場合には、比較回路３６ａに入力された電気信号がスライスレベルＳ１に達していると判断し、比較回路３６ａから制御回路４０に入力されたデジタル値が０であった場合には、比較回路３６ａに入力された電気信号のレベルがスライスレベルＳ１に達していないと判断する。
【００５４】
ステップ１０８で、比較回路３６ａに入力された電気信号のレベルがスライスレベルＳ１に達していないと判断した場合には、第１光源１４及び第２光源１６の両方が異常であると判断して、ステップ１１０に移行し、２つの光源が故障した旨のメッセージを表示部５０に表示させる。そして、ステップ１１２で、光伝送システム１または光伝送システム１を搭載した装置の駆動を停止する。
【００５５】
一方、ステップ１０８で、比較回路３６ａに入力された電気信号のレベルがスライスレベルＳ１に達していると判断した場合には、ステップ１０４で正常駆動を続行する。この場合には、第１光源１４及び第２光源１６のいずれか一方が異常な状態ではあるが、データ信号の０，１を検出するために用いられるスライスレベルは、上述したようにスライスレベルＳ１であるため、いずれか一方の正常な光源のみでデータ信号を正常に伝送することが可能である。従って、ここではデータ信号の伝送を中断せずに継続することができる。
【００５６】
このように、送信側では２つの光源から出力された光信号を合波して合波信号を生成して出力し、受信側では、光伝送路２０を介して伝送された合波信号を受信して、２つのスライスレベルＳ１，Ｓ２と比較することによって、受光された光信号（合波信号）が表すデータ信号及び少なくとも１個の光源の異常を検出するようにしたため、一方の光源が故障しても、データ伝送を継続して行うことができ、伝送の信頼性を確保することができる。
【００５７】
特に、光源に障害が発生した際に他の光源に切替える従来のシステムでは、故障が検出されてから切り替える間に瞬間的にデータ伝送が不可能になるが、上記説明したように、光信号を合波して、大きさが最も小さいスライスレベルＳ１でデータ信号のHigh/Low判定を行うようにしたため、本発明では瞬停もなく常にデータ伝送可能となる。
【００５８】
また、上記で説明したように、異常が検出されたときに、表示部５０に光源の寿命及び交換を促すメッセージを表示するようにしたため、ユーザは迅速に対応でき、致命的な故障には至らない、という効果もある。
【００５９】
なお、ここでは、この異常検出処理は、光信号による通常のデータ伝送中に所定時間間隔で実行する例について説明したが、これに限定されず、データ伝送中に常時実行するようにしてもよいし、クロック数をカウントし、所定のクロック数間隔で実行するようにしてもよい。また、データ信号が伝送されないインターバルにテスト用の光信号を伝送することにより実行するようにしてもよい。
【００６０】
また、異常検出処理において、スライスレベルＳ１を用いた異常診断（上記ステップ１０８）は毎回行うようにし、スライスレベルＳ２を用いた異常診断（上記ステップ１０２）を、所定間隔で実行するようにしてもよい。
【００６１】
図５は、スライスレベルＳ２を用いた異常診断（上記ステップ１０２）を、所定間隔で実行する場合の異常検出処理の流れを示すフローチャートである。このフローチャートにおいて、図４で示したステップと同一内容のステップには同一の符号を付して説明を省略する。なお、ここでは図示は省略するが、異常検出処理が開始される度にカウンタをカウントアップし、該カウントアップしたカウント値が基準値に達したときに異常検出処理の中でスライスレベルＳ２を用いた異常診断を行う場合について説明する。
【００６２】
ステップ１００で、受信光を観測した、すなわち、レベル判定部３６の比較回路３６ａ及び比較回路３６ｂの双方から比較結果としてデジタル値（０または１）が入力されたと判断した場合には、ステップ１０１に移行し、カウンタが示すカウント値は基準値以上か否かを判断する。ここでカウント値が基準値以上であると判断した場合には、カウンタをリセットしてからステップ１０２に移行し、上記図４と同様に、ステップ１０２移行の処理を行って、スライスレベルＳ２を用いた異常診断及びスライスレベルＳ１を用いた異常診断を行う。
【００６３】
一方、ステップ１０１で、カウンタが示すカウント値が基準値未満であると判断した場合には、ステップ１０２、１０６の処理をスキップして、ステップ１０８に移行し、スライスレベルＳ１を用いた異常診断のみを行う。これ以降の処理は、上述した処理と同様であるため説明を省略する。
【００６４】
このように、カウンタを設け、スライスレベルＳ２で異常診断する頻度を減らすようにしたため、効率良く制御することができる。
【００６５】
また、この光伝送システム１では、少なくとも１個の光源の異常が検出された場合に、送信部１０からテスト用の光信号を各光源から個別に出力させて、受信部３０の受光状態を観測することによって、異常が発生した光源を特定することができる。
【００６６】
図６は、制御回路４０で行われる、異常が発生した光源を特定するための異常光源特定処理の流れを示すフローチャートである。この処理は、異常が検出された後、データ伝送されないインターバルを利用して実行するようにしてもよいし、他のタイミング（例えば、光伝送システム１の起動時或いは光伝送システム１を搭載した装置の起動時やメンテナンス時など）に実行するようにしてもよい。
【００６７】
この異常光源特定処理では、各光源を個別に点灯させて検証する。まず、ステップ２００では、第１光源１４を点灯するための指令を駆動回路１２に出力する。
【００６８】
ステップ２０２では、受信光を観測したか否か、すなわち、第１光源１４からデータ信号「１」に相当する電気信号がレベル判定部３６に入力され、レベル判定部３６の比較回路３６ａから比較結果としてデジタル値（０または１）が制御回路４０に入力されたかを判断する。ここで比較回路３６ａからデジタル値が入力されたと判断した場合には、ステップ２０４に移行する。
【００６９】
ステップ２０４では、比較回路３６ａに入力された電気信号のレベルがスライスレベルＳ１に達しているか否かを判断する。ここでは、比較回路３６ａから入力されたデジタル値が１であった場合には、比較回路３６ａに入力された電気信号のレベルがスライスレベルＳ１に達していると判断し、比較回路３６ａから入力されたデジタル値が０であった場合には、比較回路３６ａに入力された電気信号がスライスレベルＳ１に達していないと判断する。
【００７０】
ステップ２０４で、比較回路３６ａに入力された電気信号のレベルがスライスレベルＳ１に達していないと判断した場合には、第１光源１４に異常が発生していると判断して、ステップ２０６に移行し、第１光源１４が寿命であり交換するように促すメッセージを表示部５０に表示させる。
【００７１】
一方、ステップ２０４で、比較回路３６ａに入力された電気信号のレベルがスライスレベルＳ１に達していると判断した場合には、第１光源１４は正常であると判断して、次のステップ２０８に進む。
【００７２】
ステップ２０８では、第２光源１６を点灯するための指令を駆動回路１２に出力する。
【００７３】
ステップ２１０では、受信光を観測したか否か、すなわち、第２光源１６からデータ信号「１」に相当する電気信号がレベル判定部３６に入力され、レベル判定部３６の比較回路３６ａから比較結果としてデジタル値（０または１）が制御回路４０に入力されたかを判断する。ここで比較回路３６ａからデジタル値が入力されたと判断した場合には、ステップ２１２に移行する。
【００７４】
ステップ２１２では、上記と同様、比較回路３６ａに入力された電気信号のレベルがスライスレベルＳ１に達しているか否かを判断する。ここで比較回路３６ａに入力された電気信号のレベルがスライスレベルＳ１に達していないと判断した場合には、第２光源１６に異常が発生していると判断して、ステップ２１４に移行し、第２光源１６が寿命であり交換するように促すメッセージを表示部５０に表示させる。
【００７５】
一方、ステップ２１２で、比較回路３６ａに入力された電気信号のレベルがスライスレベルＳ１に達していると判断した場合には、第２光源１６は正常であると判断して、異常光源特定処理を終了する。
【００７６】
このように複数個の光源を別々に点灯させて異常光源を特定する処理を行うことにより、異常が発生した光源を容易に特定することができ、光伝送システム１を使用するユーザに光源の交換などを促すことができる。
【００７７】
なお、ここでは、２つの光源全てを別々に順次点灯させて異常光源を特定する例について説明したが、本発明はこれに限定されない。例えば、レベル判定部３６に入力された電気信号がスライスレベルＳ１〜Ｓ２の間にある場合には、２つの光源のいずれか一方のみが異常であるとして、最初に行われる第１光源１４の異常診断で第１光源１４の異常が検出された場合には、第２光源１６の異常診断を省略することもできる。
【００７８】
また、上記実施の形態では、２つの光源を用いてデータ伝送する例について説明したが、これに限定されず、３個以上の光源を点灯させ、上記と同様に複数個の閾値を用いて光源の異常検出及びデータ信号の検出を行う場合でも上記と同様の効果がある。
【図面の簡単な説明】
【００７９】
【図１】本実施の形態における光伝送システムの概略構成を示すブロック図である。
【図２】（Ａ）は、１個の光源から出力された各光信号が合波されないで伝送されたときのレベル判定部に対する電気信号の入力状態を示す図であり、（Ｂ）は、第１光源及び第２光源の２つの光源から出力された光信号が合波された合波信号が伝送されたときのレベル判定部に対する電気信号の入力状態を示す図である。
【図３】レベル判定部の概略構成を示したブロック図である。
【図４】制御回路で行われる異常検出処理の流れを示すフローチャートである。
【図５】スライスレベルＳ２を用いた異常診断を、所定間隔で実行する場合の異常検出処理の流れを示すフローチャートである。
【図６】制御回路で行われる、異常が発生した光源を特定するための異常光源特定処理の流れを示すフローチャートである。
【符号の説明】
【００８０】
１    光伝送システム
１０  送信部
１２  駆動回路
１４  第１光源
１６  第２光源
１８  光合波器
２０  光伝送路
３０  受信部
３２  受光素子
３４  増幅器
３６  レベル判定部
３６ａ、３６ｂ  比較回路
４０  制御回路
５０  表示部
【図１】
2007221657.tif 000003
【図２】
2007221657.tif 000004
【図３】
2007221657.tif 000005
【図４】
2007221657.tif 000006
【図５】
2007221657.tif 000007
【図６】
2007221657.tif 000008